Podtech/llm-jp-corpus-v4-ja_patent huggingface dataset:
(57)【要約】【課題】経口不老不死薬の改良版ヴァージョン５を作り最新科学応用で不老不死を完璧にする。【解決手段】ヒトｉＰＳのＴ細胞再分化でテロメアを伸ばし体細胞のゴミという炎症老化をなくしこのｉＰＳのＴ細胞をコーティングするかたんぱく質の「かご」に入れ経口式とし、たんぱく質のｐ５３とＲｂをＭｄｍ２で分解し細胞の不死化でヴァージョン５となる経口不老不死薬５を作り不老不死にする。【選択図】なし【特許請求の範囲】
【請求項１】
（イ）Ｔ細胞の老化して弱ったものをｉＰＳ技術でいったん初期化後ｉＰＳ細胞としてＴ細胞に再分化するとテロメアが３０％から５０％長くなり若返りの兆候を示す。
（ロ）老化は体細胞の古くなったゴミでの炎症なので再分化したＴ細胞で老化という炎症を治し、老化の７つの原因の細胞のゴミをこの再分化Ｔ細胞でなくす。
（ハ）またｉＰＳ細胞は増殖するのでその若くなった再分化Ｔ細胞を胃酸や熱で壊れないようにコーティングするか、たんぱく質の「かご」に入れる。従来、再分化Ｔ細胞を細胞中に入れていたが、これを経口式にすることで口から飲むという単純化とした。
（ニ）このようにして全細胞が初期化し細胞のゴミをなくし、血液中のほとんどがＴ細胞であり再分化Ｔ細胞を血液中から体細胞の中へ送り込むことで不老不死を実現する。
（ホ）さらに細胞の不死化は２種類のたんぱく質であるｐ５３とＲｂを分解する遺伝子の１つであるＭｄｍ２をコーティング等にしてテロメアの長くなった再分化したＴ細胞とともに経口で飲むことで実現する。
以上のような特徴を持つヒトｉＰＳのＴ細胞再分化テロメア若返り炎症老化止めｐ５３とＲｂ分解経口不老不死薬５。
【発明の詳細な説明】
【技術分野】
【０００１】本発明は、ヒトｉＰＳのＴ細胞再分化テロメア若返り老化炎症止め経口不老不死薬４に付加したものに関する。
【背景技術】
【０００２】従来、ヒトｉＰＳ細胞初期化利用経口不老不死薬に関する技術はすくなかった。【０００３】
【非特許文献１】「毎日新聞」２０１３年１月４日、３頁。
【非特許文献２】「寿命１０００年」２０１２年７月２５日、早川書房、ジョナサン・ワイナー。
【非特許文献３】「老化は治せる」２０１３年３月２０日、集英社新書、後藤  眞。
【非特許文献４】「ムー」２０１１年１１月号、学研、７４頁。
【発明の開示】
【発明が解決しようとする課題】
【０００４】  従来、ヒトｉＰＳ細胞初期化利用経口不老不死薬に関する技術はすくなかったので最新技術よって改良実現させる。
【課題を解決するための手段】
【０００５】  ヒトｉＰＳのＴ細胞初期化後再分化してテロメアを長くし、コーティングかかご入れ経口とし炎症老化止めと細胞のゴミをなくし、ｐ５３とＲｂをＭｄｍ２で分解する。
【発明の効果】
【０００６】  不老不死の肉体を保てる。
【発明を実施するための最良の形態】
【０００７】    以下、本発明の実施例について時系列的に文章で説明する。ヒトｉＰＳのＴ細胞を再分化しテロメアを長く伸ばし若返りの兆候を示す。老化は体細胞の古くなったゴミでの炎症なので再分化Ｔ細胞で老化という炎症止め治し老化の７つの原因の細胞のゴミをこの再分化Ｔ細胞でなくす。またｉＰＳ細胞は増殖するので若返り再分化Ｔ細胞を胃酸や熱で壊れないようにコーティングするか、たんぱく質の「かご」に入れる。従来、再分化Ｔ細胞を細胞中に入れていたが、これを経口式にすることで口から飲むという単純化とした。このようにして全細胞が初期化し細胞のゴミをなくし、血液中のほとんどがＴ細胞であり再分化Ｔ細胞を血液中から体細胞の中へ送り込むことで不老不死を実現する。さらに細胞の不死化はｐ５３とＲｂをＭｄｍ２で分解することで実現する。以上のような特徴を持つヒトｉＰＳのＴ細胞再分化テロメア若返り炎症老化止めｐ５３とＲｂ分解経口不老不死薬５。
【実施例】
【０００８】上記の非特許文献の如く実施される。
【産業上の利用可能性】
【０００９】    ヒトｉＰＳのＴ細胞再分化テロメア若返り炎症老化止めｐ５３とＲｂ分解経口不老不死薬５はヒトｉＰＳ細胞初期化３遺伝子利用経口不老不死薬の改良技術で大きく進歩を遂げ高齢化が進む中この薬の需要の産業上の利用可能性は高いと解される。
(57)【要約】      （修正有）【課題】食品容器と、皮や、包装物を捨てる、捨てもの器を一体化した容器を提供する。【解決手段】側面に、手指の入る大きさの穴を数か所くりぬいた捨てもの器４とその上に係止する着脱自在な、食べ物を入れる食品容器１と、から成る捨てもの器つき食品容器。【選択図】図１
2013177147.tif 000002
【特許請求の範囲】
【請求項１】
側面に、手指の入る大きさの穴を数か所くりぬいた、捨てもの器と、その上に係止する着脱自在な、食べ物を入れる食品容器と、から成る捨てもの器付き食品容器。
【請求項２】
側面より上に、手指の入る大きさの開口部を設けた、請求項１記載の捨てもの器付き食品容器。
【発明の詳細な説明】
【技術分野】
【０００１】
本発明は捨て物入れの器と、食べ物を入れる容器とを、一体化した容器に関するものである。
【背景技術】
【０００２】
従来、食べ物は食器や容器にいれ、食べた後に出る、皮や包装物を入れる器を別にに用意していた。
【先行技術文献】
【特許文献】
【０００３】
【特許文献１】特開２００７−１９０３３６号公報
【特許文献２】実用新案登録第３０９２４１６号公
【発明の概要】
【発明が解決しようとする課題】
【０００４】
そのために、次のような問題点があった。
（イ）食べ物を入れた容器と、食べた後、出る皮や包装物を入れる器を狭い食卓にならべると、場所をとっていた。
（ロ）食べた後、皮や包装物の入った容器を、食卓に並べると見た目に、悪かった。
本発明は、上記の問題点を解決するためになされたものである。
【０００５】
側面に、手指の入る大きさの穴（５）を数か所くりぬいた、皮や包装物を入れる捨てもの器（３）と、その上に係止する着脱自在な、食べ物を入れる食品容器（１）からなっている。
【課題を解決するための手段】
【０００６】
食卓で食べ物を食べる際、食べた後、皮や包装物の捨てるものが出る。食卓に捨てる器を用意すると、狭くなり、見栄えもよくない。
本発明は、このような問題を解決するため、側面に、食べた後の皮や包装物を捨てるための穴（５）を数か所くりぬいた、捨てもの器（３）と、その上に係止する、着脱自在な、食べ物を入れる食品容器（１）を別に形成する。    
また、捨てもの器（３）の底を一体成型してないものについては、底皿（８）を別に成型し底受け皿として捨てもの器（３）の下で用いる。
【発明の効果】
【０００７】
食べ物を入れた食品容器（1）の下に、食べた後の皮や包装物入れの捨てもの器（３）があり、手元ですぐ捨てることがでる。食卓はいつもきれいに保てる。子供のおやつ入れでの使用は、皮や包装物を捨てもの器（３）に捨てるので躾にも役立つ。
【図面の簡単な説明】
【０００８】
【図１】本発明の分解斜視図
【図２】本発明の実施例図
【発明を実施するための形態】
【０００９】
側面に手指の入る大きさの穴（５）を数か所くりぬいた、皮や包装物を入れる捨てもの器（３）とその上に係止する、食べ物を入れる食品容器（１）を形成、さらに係止手段としては、容器そのものに設けられる縁（２）（４）やつばのほか、ネジこみ式など各種考えられる。
【実施例】
【００１０】
本発明は以上のような構成で、これにのせるときは食べ物を、食品容器（１）に入れ、皮、包装物を入れる器の捨てもの器（３）の上にのせて食卓に出す。食べた後は皮や包装物を入れる捨てもの器（３）のくりぬいた数か所の穴（５）から挿入して捨てる（６）。
【符号の説明】
【００１１】
１    食品容器
２    食品容器の縁
３    捨てもの器
４    捨てもの器の縁
５    穴
６    捨てもの
７    食品
８    底皿
【図１】
2013177147.tif 000003
【図２】
2013177147.tif 000004
(57)【要約】【課題】  弁体が横方向にずれることを防止できる減圧弁を提供する。【解決手段】  本体１と蓋２で弁ケーシングを形成し、本体１に入口５と出口６を形成し、入口５と出口６を連通する弁口８を開けた弁座７を本体１に取り付け、弁口８を開閉する弁体９を弁口８の下方に弁体ばね１９で閉弁方向に付勢して配置する。出口６側圧力と圧力設定ばね３の設定力との偏差に基づいて変位するベローズ４により操作棒１１を介して弁体９を駆動して弁口８を開閉する。弁体９と弁体ばね１９を囲って円筒状のスクリーン２０を配置する。スクリーン２０の濾し孔２０ａは、弁体９が弁口８を開口したときの弁体９の下端よりも下方のみに開ける。【選択図】  図１
2013205934.tif 000002
【特許請求の範囲】
【請求項１】
弁ケーシングに入口と出口を形成し、入口と出口を連通する弁口を開けた弁座を弁ケーシングに取り付け、弁口を開閉する弁体を弁口の下方に弁体ばねで閉弁方向に付勢して配置し、出口側圧力と圧力設定部材の設定力との偏差に基づいて変位する圧力応動部材により弁体を駆動して弁口を開閉するものにおいて、弁体と弁体ばねを囲って円筒状のスクリーンを配置したものにおいて、弁体が弁口を開口したときの弁体の下端よりも下方のみにスクリーンの濾し孔を開けたことを特徴とする減圧弁。
【発明の詳細な説明】
【技術分野】
【０００１】
本発明は蒸気や圧縮空気配管系に取り付けて、出口側圧力を入口側圧力よりも低い所望の設定圧力に維持する減圧弁に関する。
【背景技術】
【０００２】
従来の減圧弁は例えば実開昭５８−２８３１２号公報に示されている。ここに示されたものは、弁ケーシングに入口と出口を形成し、入口と出口を連通する弁口を開けた弁座を弁ケーシングに取り付け、弁口を開閉する弁体を弁口の下方に弁体ばねで閉弁方向に付勢して配置し、出口側圧力と圧力設定部材の設定力との偏差に基づいて変位する圧力応動部材により弁体を駆動して弁口を開閉するものにおいて、弁体と弁体ばねを囲って円筒状のスクリーンを配置したものである。
【先行技術文献】
【特許文献】
【０００３】
【特許文献１】実開昭５８−２８３１２号公報
【発明の概要】
【発明が解決しようとする課題】
【０００４】
上記従来の減圧弁は、弁体が弁口を開口したときに入口からスクリーンを通して弁口に向う流体が弁体に横向きに衝突して弁体が横方向にずれるために、弁体が弁口を閉口するときに完全閉口できなくなる問題点があった。
【０００５】
したがって本発明が解決しようとする課題は、弁体が横方向にずれることを防止できる減圧弁を提供することである。
【課題を解決するための手段】
【０００６】
上記の課題を解決するために、本発明の減圧弁は、弁ケーシングに入口と出口を形成し、入口と出口を連通する弁口を開けた弁座を弁ケーシングに取り付け、弁口を開閉する弁体を弁口の下方に弁体ばねで閉弁方向に付勢して配置し、出口側圧力と圧力設定部材の設定力との偏差に基づいて変位する圧力応動部材により弁体を駆動して弁口を開閉するものにおいて、弁体と弁体ばねを囲って円筒状のスクリーンを配置したものにおいて、弁体が弁口を開口したときの弁体の下端よりも下方のみにスクリーンの濾し孔を開けたことを特徴とするものである。
【発明の効果】
【０００７】
本発明によれば、弁体が弁口を開口したときの弁体の下端よりも下方のみにスクリーンの濾し孔を開けたことにより、弁体が弁口を開口したときに入口からスクリーンを通して弁口に向う流体が弁体に上向きに衝突し、弁体が横方向にずれることを防止できるという効果を奏する。
【図面の簡単な説明】
【０００８】
【図１】本発明の実施の形態に係わる減圧弁の断面図である。
【発明を実施するための形態】
【０００９】
以下、本発明の実施の形態について、図１を参照して説明する。減圧弁の弁ケーシングは、本体１と本体１に締結した蓋２とから成る。本体１の上部と蓋２の間に圧力設定部材としてのコイル状の圧力設定ばね３と圧力応動部材としてのベローズ４を配置する。本体１に入口５と出口６を形成し、入口５と出口６の間に弁座７を固定し、弁座７に形成した弁口８を通して入口５と出口６を連通する。弁口８の下方に弁口８を開閉する弁体９を配置する。弁体９の上面にほぼ円錐状の凹面１０を形成する。弁体９の上方に操作棒１１を配置する。操作棒１１の下端面にほぼ半球状の凸面１２を形成する。弁体９の円錐状の凹面１０に操作棒１１の半球状の凸面１２を当接させる。操作棒１１の上端は下部ばね受け１３の収容孔１４に収容する。操作棒１１の上部はスナップリング１５で本体１に固定した案内部材１６の案内孔１７で上下に摺動自在に案内する。案内部材１６に出口６側圧力を導入する連通孔１８を形成する。
【００１０】
弁体９と本体１の底壁の間に弁体９を閉弁方向に付勢するコイル状の弁体ばね１９を配置する。弁体９と弁体ばね１９を囲って円筒状のスクリーン２０を配置する。スクリーン２０は、弁座７の下端面に形成した外方に向かって上方に拡がるテーパー面２１と、本体１の底壁に形成した段部２２の間に挟んで固定する。スクリーン２０の濾し孔２０ａは、弁体９が弁口８を開口したときの弁体９の下端よりも下方のみに開ける。蓋２の天井壁に調節ねじ２３を取り付け、ロックナット２４で回り止めをする。調節ねじ２３の下部に抜け出し防止用のスナップリング２５を取り付ける。調節ねじ２３の内端は球体２６と上部ばね受け２７を介して圧力設定ばね３の上端に接する。圧力設定ばね３の下端は下部ばね受け１３の上端に接する。ベローズ４の上端は蓋２と本体１の間に固定したリング状の取付部材２８に固定し、下端は下部ばね受け１３の外周に固定して閉塞する。
【００１１】
次に上記実施例の作用を説明する。出口６側の圧力が設定圧力よりも低下すると、ベローズ４は圧力設定ばね３のばね力により伸張し、弁体ばね１９のばね力に抗して操作棒１１を介して弁体９を下方に変位させて弁口８を開口する。弁口８の開口により入口５側の高圧の流体が出口６側に供給され、出口６側の圧力が回復する。出口６側の圧力が所望値まで回復すると、ベローズ４は収縮して元の位置に戻り、弁体９は弁体ばね１９のばね力により弁口８を閉口する。
【産業上の利用可能性】
【００１２】
本発明は、流体配管系に取り付けて、弁の出口側すなわち弁の二次側の流体圧力を一定の設定圧力に保つ減圧弁に利用することができる。
【符号の説明】
【００１３】
１  本体
２  蓋
３  圧力設定ばね
４  ベローズ
５  入口
６  出口
７  弁座
８  弁口
９  弁体
１９  弁体ばね
２０  スクリーン
２０ａ  スクリーンの濾し孔
【図１】
2013205934.tif 000003
(57)【要約】【課題】  出口側圧力の変動に対する応答性の良い減圧弁を提供する。【解決手段】  本体１と蓋２で弁ケーシングを形成し、本体１に入口５と出口６を形成し、入口５と出口６を連通する弁口８を開けた弁座７を本体１に取り付け、弁口８を開閉する弁体９を弁口８の下方に弁体ばね１９で閉弁方向に付勢して配置する。弁口８の上方に導圧孔１８ａを有する仕切部材１８を配置する。仕切部材１８の上方に配置され出口６側圧力と圧力設定ばね３の設定力との偏差に基づいて変位するベローズ４により弁体９を駆動して弁口８を開閉する。仕切部材１８をスクリーンにより形成すると共に導圧孔１８ａをスクリーンの濾し孔により形成する。【選択図】  図１
2013205935.tif 000002
【特許請求の範囲】
【請求項１】
弁ケーシングに入口と出口を形成し、入口と出口を連通する弁口を開けた弁座を弁ケーシングに取り付け、弁口を開閉する弁体を弁口の下方の入口側にばねで閉弁方向に付勢して配置し、弁口の上方に導圧孔を有する仕切部材を配置し、仕切部材の上方に配置され出口側圧力と圧力設定部材の設定力との偏差に基づいて変位するベローズにより弁体を駆動して弁口を開閉するものにおいて、仕切部材をスクリーンにより形成すると共に導圧孔をスクリーンの濾し孔により形成したことを特徴とする減圧弁。
【発明の詳細な説明】
【技術分野】
【０００１】
本発明は蒸気や圧縮空気配管系に取り付けて、出口側圧力を入口側圧力よりも低い所望の設定圧力に維持する減圧弁に関する。
【背景技術】
【０００２】
従来の減圧弁は例えば実開昭５８−２８３１２号公報に示されている。ここに示されたものは、弁ケーシングに入口と出口を形成し、入口と出口を連通する弁口を開けた弁座を弁ケーシングに取り付け、弁口を開閉する弁体を弁口の下方の入口側にばねで閉弁方向に付勢して配置し、弁口の上方に導圧孔を有する仕切部材を配置し、仕切部材の上方に配置され出口側圧力と圧力設定部材の設定力との偏差に基づいて変位するベローズにより弁体を駆動して弁口を開閉するものである。
【先行技術文献】
【特許文献】
【０００３】
【特許文献１】実開昭５８−２８３１２号公報
【発明の概要】
【発明が解決しようとする課題】
【０００４】
上記従来の減圧弁は、導圧孔を通して流体中のゴミやスケール等の異物がベローズに挟まるために、出口側圧力の変動に対する応答性が悪いという問題点があった。
【０００５】
したがって本発明が解決しようとする課題は、出口側圧力の変動に対する応答性の良い減圧弁を提供することである。
【課題を解決するための手段】
【０００６】
上記の課題を解決するために、本発明の減圧弁は、弁ケーシングに入口と出口を形成し、入口と出口を連通する弁口を開けた弁座を弁ケーシングに取り付け、弁口を開閉する弁体を弁口の下方の入口側にばねで閉弁方向に付勢して配置し、弁口の上方に導圧孔を有する仕切部材を配置し、仕切部材の上方に配置され出口側圧力と圧力設定部材の設定力との偏差に基づいて変位するベローズにより弁体を駆動して弁口を開閉するものにおいて、仕切部材をスクリーンにより形成すると共に導圧孔をスクリーンの濾し孔により形成したことを特徴とするものである。
【発明の効果】
【０００７】
本発明によれば、仕切部材をスクリーンにより形成すると共に導圧孔をスクリーンの濾し孔により形成したことにより、導圧孔を通して流体中のゴミやスケール等の異物がベローズに達することを防止でき、出口側圧力の変動に対する応答性が良くなるという効果を奏する。
【図面の簡単な説明】
【０００８】
【図１】本発明の実施の形態に係わる減圧弁の断面図である。
【発明を実施するための形態】
【０００９】
以下、本発明の実施の形態について、図１を参照して説明する。減圧弁の弁ケーシングは、本体１と本体１に締結した蓋２とから成る。本体１の上部と蓋２の間に圧力設定部材としてのコイル状の圧力設定ばね３とベローズ４を配置する。本体１に入口５と出口６を形成し、入口５と出口６の間に弁座７を固定し、弁座７に形成した弁口８を通して入口５と出口６を連通する。弁口８の下方の入口５側に弁口８を開閉する弁体９を配置する。弁体９の上面にほぼ円錐状の凹面１０を形成する。弁体９の上方に操作棒１１を配置する。操作棒１１の下端面にほぼ半球状の凸面１２を形成する。弁体９の円錐状の凹面１０に操作棒１１の半球状の凸面１２を当接させる。操作棒１１の上端は下部ばね受け１３の収容孔１４に収容する。弁口８の上方に出口６側の圧力をベローズ４側に導入する導圧孔１８ａを有する仕切部材１８をスナップリング１５で本体１に固定する。仕切部材１８をスクリーンにより形成すると共に導圧孔１８ａをスクリーンの濾し孔により形成する。操作棒１１の上部はスナップリング２９で仕切部材１８に固定した案内部材１６の摺動案内孔１７で上下に摺動自在に案内する。
【００１０】
弁体９と本体１の底壁の間に弁体９を閉弁方向に付勢するコイル状の弁体ばね１９を配置する。弁体９と弁体ばね１９を囲って円筒状のスクリーン２０を配置する。スクリーン２０は、弁座７の下端面に形成した外方に向かって上方に拡がるテーパー面２１と、本体１の底壁に形成した段部２２の間に挟んで固定する。蓋２の天井壁に調節ねじ２３を取り付け、ロックナット２４で回り止めをする。調節ねじ２３の下部に抜け出し防止用のスナップリング２５を取り付ける。調節ねじ２３の内端は球体２６と上部ばね受け２７を介して圧力設定ばね３の上端に接する。圧力設定ばね３の下端は下部ばね受け１３の上端に接する。ベローズ４の上端は蓋２と本体１の間に固定したリング状の取付部材２８に固定し、下端は下部ばね受け１３の外周に固定して閉塞する。
【００１１】
次に上記実施例の作用を説明する。出口６側の圧力が設定圧力よりも低下すると、ベローズ４は圧力設定ばね３のばね力により伸張し、弁体ばね１９のばね力に抗して操作棒１１を介して弁体９を下方に変位させて弁口８を開口する。弁口８の開口により入口５側の高圧の流体が出口６側に供給され、出口６側の圧力が回復する。出口６側の圧力が所望値まで回復すると、ベローズ４は収縮して元の位置に戻り、弁体９は弁体ばね１９のばね力により弁口８を閉口する。
【産業上の利用可能性】
【００１２】
本発明は、流体配管系に取り付けて、弁の出口側すなわち弁の二次側の流体圧力を一定の設定圧力に保つ減圧弁に利用することができる。
【符号の説明】
【００１３】
１  本体
２  蓋
３  圧力設定ばね
４  ベローズ
５  入口
６  出口
７  弁座
８  弁口
９  弁体
１８  仕切部材
１８ａ  導圧孔
１９  弁体ばね
【図１】
2013205935.tif 000003
(57)【要約】      （修正有）【課題】打鈴球や打鈴棒等の打鈴部材の不要なベルを提供する。【解決手段】ベース部１１と、当該ベース部１１に支持されたりん部１２を有し、ベース部１１はりん部１２に加振する加振部１４を有し、加振振動数がりん部１２の固有振動数に概ね一致させる。【選択図】図１
2013205824.tif 000002
【特許請求の範囲】
【請求項１】
ベース部と、当該ベース部に支持されたりん部を有し、
ベース部はりん部に加振する加振部を有し、加振振動数がりん部の固有振動数に概ね一致させたものであることを特徴とするベル。
【請求項２】
前記ベース部はベース部の揺動を感知するための揺動感知部を有し、
ベース部が揺動すると加振部が作動するように自動制御されていることを特徴とする請求項１記載のベル。
【請求項３】
前記加振部は外部のリモートコントローラにて作動可能であることを特徴とする請求項１又は２記載のベル。
【請求項４】
前記ベース部はりん部の振動レベルを検知するためのピックアップ部を有し、加振振動数がりん部の固有振動数に一致するように自動調整可能になっていることを特徴とする請求項１〜３のいずれかに記載のベル。
【発明の詳細な説明】
【技術分野】
【０００１】
本発明は、呼び鈴，警報ベル及びドアベル等、広い分野にて利用できるベルに関する。
【背景技術】
【０００２】
従来のベルは、りん部をりん棒等で打鈴することで鳴るもの、吊り下げた打鈴球が揺れりん部に当たることで鳴るものであった。
また、弾性体で支持された打鈴部の揺動や電気磁石等にて打鈴部を揺動させることで鳴るベルも公知である。
例えば、特開２００３−３２７６７号公報（特許文献１）には、無線による呼び鈴を開示するが、これも負荷コイルを用いたものである。
【先行技術文献】
【特許文献】
【０００３】
【特許文献１】特開２００３−３２７６７号公報
【発明の概要】
【発明が解決しようとする課題】
【０００４】
本発明は、打鈴球や打鈴棒等の打鈴部材の不要なベルの提供を目的とする。
【課題を解決するための手段】
【０００５】
本発明に係るベルは、ベース部と、当該ベース部に支持されたりん部を有し、ベース部はりん部に加振する加振部を有し、加振振動数がりん部の固有振動数に概ね一致させたものであることを特徴とする。
これにより、従来の打鈴では発生しやすかった雑音が、本発明に係るベルはその雑音が少ない鳴り音となる。
【０００６】
ここで、りん部の有する固有振動数は、例えば図２のグラフに示すように加振周波数に対するその時の音圧レベルを測定することで、容易に得られる。
なお、図２に示した３つの音圧ピークは、１次モード，２次モード，３次モードの固有振動数である。
【０００７】
本発明で、ベース部はベース部の揺動を感知するための揺動感知部を有し、
ベース部が揺動すると加振部が作動するように自動制御されていてもよい。
このようにすると、ベース部を軽く左右に揺動するだけでベルが鳴る。
【０００８】
本発明で、加振部は外部のリモートコントローラにて作動可能にしてもよい。
【０００９】
また、ベース部はりん部の振動レベルを検知するためのピックアップ部を有し、加振振動数がりん部の固有振動数に一致するように自動調整可能にしてもよい。
【発明の効果】
【００１０】
本発明に係るベルは、加振部がりん部の固有振動数に合せて加振するだけでベルが大きく鳴るので、雑音の少ない共鳴音になる。
【図面の簡単な説明】
【００１１】
【図１】本発明に係るベルの構造例を示し、（ａ）はりん部の内側に支持部を有する例で、（ｂ）はりん部の外側に支持部を有する例である。
【図２】固有振動数の測定チャートの例を示す。
【発明を実施するための形態】
【００１２】
本発明係るベル１０の構造例を図面に基づいて説明するが、本実施例に限定されるものではない。
ベル１０は、ベース部１１とこのベース部１１に支持部１３を介して支持されたりん部１２とからなる。
図１（ａ）は、釣鐘形状のりん部の内側に支持部１３を設けた例で、（ｂ）はりん部１２の外側に支持部１３を設けた例を示すが、りん部が共鳴部として鳴るものであれば支持形態に制限がない。
また、りん部の形状も釣鐘形状に限定されるものではない。
りん部の材質は黄銅，鉄，ＳＵＳ等の金属製が好ましい。
【００１３】
ベース部１１は、図１（ａ）に示すように加振部１４を有し、この加振部１４の位置はりん部１２の内側でも外側でもよい。
ベース部１１の内部に加振部１４の電源部や制御部を設けてある。
ベース部１１は、いろいろな場所に載置できる形状になっていて、ベース部１１を左右に軽く揺動させると、その揺れを揺動感知部が感知し、加振部１４が作動するようになっている。
なお、加振部１４を外部のリモートコントローラでＯＮ／ＯＦＦさせてもよい。
また、図１（ｂ）に示すベルは、ベース部１１にりん部の振動レベルを検知するピックアップ部１５を設けることで、加振部の加振振動数をりん部の固有振動数に自動調整可能にした例である。
【００１４】
加振部１４は、例えば図２のチャートに示したように測定結果から１次モードの振動数２．３６ｋＨｚの近く（±５％）に合せて設計すればよいので、コンパクトで簡単な回路設計でよい。
【符号の説明】
【００１５】
１０      ベル
１１      ベース部
１２      りん部
１３      支持部
１４      加振部
１５      ピックアップ部
【図１】
2013205824.tif 000003
【図２】
2013205824.tif 000004
(57)【要約】【課題】特許文献１では検出コイルの検出信号に含まれる被検体内部からの微弱渦電流信号を抽出する為に、振幅と位相を調整した正弦波信号で、表層部からの巨大渦電流をキャンセルしている。しかし、実施例で示された方法は励磁コイルを励磁する信号の振幅と位相を手動で調整した信号を検出信号に加える事でマスキング信号をキャンセルしており、手動操作が介在し、測定の自動化の妨げとなっていた。【解決手段】駆動コイルに駆動交流信号を供給する為の第１のＤＡコンバータと、検出コイルの出力信号と第２のＤＡコンバータの出力の和信号を変換するＡＤコンバータを用意し、第１のＤＡコンバータに駆動交流信号を周期的に出力させ、第２のＤＡコンバータを停止した状態でＡＤコンバータが採取した交流信号の正負を反転した信号を採取時の周期に同期させて、第２のＤＡコンバータから出力させる事で特許文献１の表層部の信号キャンセルを自動的に達成する。【選択図】図１
2013205023.tif 000002
【特許請求の範囲】
【請求項１】
駆動コイルと検出出力を有した電磁センサを駆動する為の第一のＤＡコンバータと出力増幅器を有し，該電磁センサの検出出力と第二のＤＡコンバータの出力を算術和した信号をデジタル変換するＡＤコンバータを備え，該ＤＡおよびＡＤコンバータの入出力および制御信号などをＰＣなどの外部制御機器に接続するインタフェースを備えた電磁誘導検査装置
【請求項２】
請求項１に示す装置において，電磁センサの検出領域に感知する物体を何も置かない状態か、もしくは既知の被検体を既知の条件に設定し，第一のＤＡコンバータに既知の正弦波もしくは異なった既知の周波数の正弦波の集合を供給し，第二のＤＡコンバータを無信号状態にして，ＡＤコンバータによって，供給した正弦波もしくは集合の周期の整数倍の区間データを採取し，その採取した信号そのものの反転信号かあるいは計算処理を施した信号の反転信号を第二のＤＡコンバータに供給する事で，目的信号をマスキングしている信号のキャンセル操作を自動的に行う事。
【請求項３】
請求項１に示す検査装置において，既知のリフトオフ（センサと被検体の距離）と既知の被検体の厚みサンプルをそれぞれ２種類用意し，それぞれの組み合わせによる４種類の状態を周波数比が互いに素である少なくとも２種類の正弦波の合成信号で測定し，測定結果をFFT演算などにより，使用した正弦波の基本波毎に振幅と位相に分解する。これらのデータと周波数に依らない空気の透磁率と周波数に依存する被検体の性質と局所的な線形性を利用して，未知の厚さの被検体サンプルの測定データから，その厚みを推定する事。
【発明の詳細な説明】
【技術分野】
【０００１】
本発明は、導電性の被検体に交番磁場を印加し、被検体に生ずる渦電流による磁場を検出することにより被検体の探傷を行う電磁誘導を利用した装置および方法に関するものである。
【背景技術】
【０００２】
特許文献１では、被検体に交番磁場を印加し渦電流を検出する非破壊検査の方法が提案されている。 渦流探傷では、被検体表面に流れる渦電流による磁場の出力が強大で、被検体内部の渦電流による磁場の出力は極微弱な為、検出コイルで検出される、信号（交流信号）では、被検体内部の微小出力はマスキングされているとの現実がある。
【０００３】
上記の現実に対し、該検出コイルの検出信号に振幅がほぼ等しく逆位相の正弦波信号を生成する回路を備えて該逆位相正弦波生成回路出力と前記検出コイルの検出信号との和を出力する回路を備え、或は検出コイルの検出信号と振幅がほぼ等しく同位相の正弦波信号を生成する回路を備えて該同位相正弦波生成回路出力と前記検出コイルの検出信号との差を出力する回路を備え、該和信号出力或は該差信号出力の残余の信号を検波する回路手段を備え、表皮効果による被検体表層部の検出出力をキャンセルして該被検体表層部の検出出力によってマスキングされていた被検体の内部や裏面の出力を検出することが発明として成立している。
【先行技術文献】
【特許文献】
【０００４】
【特許文献１】特許第４７５６４０９号公報
【特許文献２】特許第３８９６４８９号公報
【特許文献３】特許第３２６６１２８号公報
【特許文献４】特開２０１０−４８５５２号公報
【特許文献５】特許第３７５３４９９号公報
【発明の概要】
【発明が解決しようとする課題】
【０００５】
特許文献１では、検出コイルの検出信号に含まれる、被検体表層部の巨大な渦電流から、被検体内部からの微弱渦電流信号を抽出する為に該検出信号の振幅と位相を調整した正弦波信号を正負反転して和をとる事でキャンセルしている。しかし、実施例で示された方法は励磁コイルを励磁する為の信号の振幅と位相を励磁信号から、派生的に手動で調整した信号を生成しており、手動操作が介在し、測定自動化の妨げとなっている。
【課題を解決するための手段】
【０００６】
駆動コイルに駆動交流信号を供給する為の第１のＤＡコンバータと、検出コイルの出力信号と第２のＤＡコンバータの出力の和信号を変換するＡＤコンバータを用意する。
【０００７】
第１のＤＡコンバータに駆動交流信号を周期的に出力させ、かつ第２のＤＡコンバータを停止した状態で、ＡＤコンバータによって、交流信号の周期の整数倍の区間のデータを採取する。 採取したデータのノイズを除去などをしたのち、この信号の正負を反転した信号を計測時と同期させて、該第2ＤＡコンバータより、出力させる事で特許文献１のマスキング信号の生成と実行を自動的に達成する。
【発明の効果】
【０００８】
本発明は特許文献１において、正弦波に制約されていたキャンセル機能をその高調波成分まで拡張できる。さらに、ＡＤコンバータで採取したデータをフーリエ変換し、基本波成分のみ、あるいは高調波成分も含めて取り出し、それらを逆フーリエ変換する事でＡＤコンバート時に混入したノイズ信号を取り除いた信号をキャンセル用信号として、自動生成出来る。
【０００９】
また、多周波数を同時に使用した解析も本発明の回路構成を変更する事実施出来る。
【図面の簡単な説明】
【００１０】
【図１】本発明の実施例
【実施例】
【００１１】
２周波数を用いた、電磁誘導探傷方法を以下に示す。まず、第１のＤＡコンバータ用の励振信号データを計算により準備する。例えば2KHzと7KHzを同時に使用する場合、１ｍ秒の区間で2周期（２ＫＨｚ）と７周期（７ＫＨｚ）の正弦波を有するデータを作成し、第１のＤＡコンバータで繰り返し出力する。測定準備として、第２のＤＡコンバータは出力ゼロ状態にし、ＡＤコンバータによって、正確に１ｍ秒間のデータを取り込む。取り込んだデータにノイズ除去などの計算処理を行い、最終的にキャンセル信号として、正負を反転した信号を生成し、第２のＤＡコンバータで、採取時の１ｍ秒間隔に同期させて出力し、マスキングの解除が実施される。
【符号の説明】
【００１２】
図１
１０１：センサ本体
１０２：センサの駆動コイル
１０３：検出コイル
１０４：被検体
１０５：第１ＤＡコンバータ（駆動コイル励振用）
１０６：第２ＤＡコンバータ（キャンセル信号出力用）
１０７：信号加算回路
１０８：和信号変換ＡＤコンバータ
１０９：ＡＤコンバータ、ＤＡコンバータ制御回路等
１１０：ＵＳＢ等のＰＣインターフェース回路
１１１：ＰＣ等への接続ケーブル
【図１】
2013205023.tif 000003
(57)【要約】【課題】今までのフルボ酸の多くの効果の発表は、基本的に抽出水からの効果応用実証例ですが、基本となるフルボ酸がどこでどの程度入っているかはっきりした数値がつかめないことが問題であった。【解決手段】課題を解決するために、フルボ酸液を固形粉末化し、それを水やアルコールに薄めることで１００〜０．００％迄数値化デジタル化出来ることで配合上比率が正確になり、添加量の表示管理が可能となることで消費者が安心安全な製品を使用することが出来る。動植物いわゆる地球上の生物が繁栄するのにかかすこと出来ない基本物質であり、人間の場合も加齢とともに数値が減少していき、食物からもだんだん吸収しにくくなっている。特に日本も放射能の問題世界中を見たら原発の問題もあり第二のビタミンとも第二のペニシリンともいえる物質である。発表されて５０〜６０年にもなるが、まさに今必要とされている物質であることは間違いない。【選択図】図１
2013049659.tif 000002
【特許請求の範囲】
【請求項１】
フルボ酸を粉体個体化することで軽くなり取り扱いもしやすく、混合した製品に定量計量し易くした。
【請求項２】
カーボンナノチューブの定量分散液や３３０ｎｍ〜４５０ｎｍの蛍光スペクトルを利用したＬＥＤ発行体やＥＬ用発行体に使用することを可能とした。
【請求項３】
メッキ液や電池の電解物質電解液への使用を可能としたこと。
【請求項４】
［請求項３］から半田付けなどのフラックス効果も見出した。又金属物質（ミネラル）とのキレートによるイオン化液としても可能としたことでフルボ酸粉体を水やアルコールに溶解することで食品医療農業漁業への腐食防止剤や拡散化剤また発酵調整剤など、水、酒類をはじめあらゆる食品薬品化粧品への添加材としての利用を可能とした。
【請求項５】
金属の錆などの防錆剤、錆止剤としてのフルボ酸。
【請求項６】
抗酸化剤を利用した抗菌効果のマスク、タオル、医療用ガーゼ、包帯や下着類など、紙や糸などの繊維類を染め上げると防腐食効果や防臭効果、又防虫効果もあることを実験した。
【請求項７】
多くのミネラルと多くのアミノ酸を含んでいるので、体内に入ると酵素と反応したイオン化することにより、栄養補助剤としても効果的であり、サプリメントにもフルボ酸を数ｐｐｍ混ぜ合わせると体内への吸収効果があり有効である。
【請求項８】
フルボ酸入りの麺類やフルボ水、フルボ氷、サプリメント類、フルボ豆腐、すべての食品類に混合することで成人病や癌、放射能除去など多くの作用を応用した製品類。
【請求項９】
カーボンナノチューブ製造用の原料であり、ＣＶＤ条件下で触媒微粒子に転化する触媒前前駆体を分散させた原料炭化水素としてのフルボ酸液。
【発明の詳細な説明】
【発明の詳細な説明】
【技術分野】
【０００１】腐植前駆物質とは自然界の土壌、水、大気、生物体内に普遍的に存在する腐植の過程物質を指す。【０００２】フルボ酸とはその腐植前駆物質から精製分離したものの中で酸に溶解する特性を有する有機物の集合体を指す。
【背景技術】
【０００３】フルボ酸は米国ミヤモンテ社の製品を輸入して化粧品や農業用成長剤として広く使用されている。【０００４】日本国内ではリードアップの商品名で工業化され市場が広がりつつある。【０００５】最近では、米国の科学者による論文の中で、体内被曝や重金属症の原因となる放射性物質、特にヨウ素、セシウム、プルトニウム等をフルボ酸が体外に除去したり除染したりすることが発表されている。【０００６】特に福島の原発事故による放射能の飛散による被害は大きな問題となっている。【０００７】フルボ酸、リードアップ類の活用によってこれ以上悲惨な状況にならないようにしたい。【０００８】フルボ酸原液の１０分の１〜５０分の１ぐらい希釈液を散布すると３０年、６０年といわれる半減期を早めることと土壌などに散布すると除染効果がありもっと早く半減期を縮めることが可能となります。【０００９】またこの原液を飲料水で１０００〜１００００倍（人によって違う、体重によって違うので１０００〜１００００倍としている）に薄めたものを１滴か２滴、１００〜２００ＣＣの水に入れて飲むことによって［０００５］の症状も良くなってくる。【００１０】その他フルボ酸は年齢とともに減っていき、また体内に取り入れにくくなっていくので、日常生活において食品や薬剤の中に数ｐｐｍ混ぜて摂取することで健康を保持することができ、高齢者の医療負担も少なくなり、年々拡大していく医療保険の問題にも寄与できる。【００１１】
【特許文献１】特表２００２−５２６４０７（Ｐ２００２−５２６４０７Ａ）
【発明が解決しようとする課題】
【００１２】［００１１］の請求項は医薬組成物の製造商品が主体であり、本発明は１日数回経口摂取する飲食物にフルボ酸の固形粉末又はこれを溶かした水溶液を混在させることを標準化することを特徴とする。
【課題を解決する為の手段】
【００１３】毎日口にする飲食物や医薬品、サプリメントの中にあらかじ数ｐｐｍ〜数１００００ｐｐｍ位を標準的に入れておく。
【発明の効果】
【００１４】製品にもよるが、腐敗しにくくなり、冷蔵庫などで保存すれば長期間使用期限が延びる。
【００１５】賞味期限を延ばすことによる生活費、エネルギーコスト、生活廃棄物の削減など環境保全や省エネルギーに貢献できる。
【００１６】公共においては、上下水道に数ｐｐｍになるように混入させたり、放射能の除去用に使用したり、農業や漁業育成用にしたり全ての生活用のベースにすることを目標とすることにより、［００１３］〜［００１４］の効果があり、高齢化社会がますます進むことに対しフルボ酸液や粉が役に立つことは間違いない処です。
【００１７】高齢化社会にあっても１００〜１１５才でも足腰もしっかり痴呆や惚けもない元気な生活が出来ることを目的としたフルボ酸の使用方法である。
【符号の説明】
【００１８】図１
▲１▼  １Ｌペットボトル
▲２▼  ５００〜１０００倍希フルボ酸液
▲３▼  フルボ酸混入液
【図面の簡単な説明】
【００１９】図１は、▲１▼の１Ｌペットボトルに▲２▼５００〜１０００倍のフルボ酸液を１滴か２滴入れた▲３▼フルボ酸混入液である。【００２０】この混入液を飲料水にしたり、食品に添加したり、調理の際の煮炊き用に使用する。【００２１】グラフ１はフルボ酸濃度と腐敗するまでの時間を表したグラフである。
【図１】
2013049659.tif 000003
2013049659.tif 000004
【手続補正書】
【提出日】平成24年1月13日(2012.1.13)
【手続補正１】
【補正対象書類名】明細書
【補正対象項目名】００１９
【補正方法】変更
【補正の内容】
【００１９】
【図１】図１は、▲１▼の１Ｌペットボトルに▲２▼５００〜１０００倍のフルボ酸液を１滴か２滴入れた▲３▼フルボ酸混入液である。
【図２】図２は、フルボ酸濃度と腐敗するまでの時間を表したグラフである。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】図面
【補正対象項目名】全図
【補正方法】変更
【補正の内容】
【図１】
2013049659.tif 000005
【図２】
2013049659.tif 000006
(57)【要約】      （修正有）【課題】視界内の構造物をなくし、視界を良好にする旋回窓を提供する。【解決手段】旋回窓ａ１の外周部分にベアリングｃ１を配置し、固定窓ｂ１の下部の位置に配置した直流モーターｄ１の回転軸先端に駆動力を伝達させるギアｄ２を設け、直流モーターｄ１の駆動力を直流モーターギアｄ２から旋回窓枠ａ２の内側にある旋回窓ガラス側ギアａ３へ伝達させ、旋回窓ａ１を高速旋回させる構造として、直流モーターと直流モーターを支える支持アームを旋回窓ａ１の視界から排除させた。【選択図】図３
2013049415.tif 000002
【特許請求の範囲】
【請求項１】
固定窓の旋回窓枠にベアリングを配置し、旋回窓の外周をベアリングを介して固定したことを特徴とする旋回窓。
【請求項２】
請求項１記載の旋回窓において、固定窓の旋回窓枠外に直流モーターを配置し、旋回窓の外周にギアを配置して上記直流モーターのギアから旋回窓のギアを介して駆動力を伝達させることを特徴とする旋回窓。
【請求項３】
請求項１記載の旋回窓において、上記直流モーターは上記旋回窓枠外であって、下部の位置に配置したことを特徴とする旋回窓。
【発明の詳細な説明】
【技術分野】
【０００１】本発明は、旋回窓において視界内の構造物をなくし、視界を良好にする事を目的とする。
【背景技術】
【０００２】従来は、旋回窓の中心部にある直流モーターとそれを支える支持アームにより、視界の一部が遮られていた。
【先行技術文献】
【特許文献】
【０００３】
【特許文献１】特許公開平１１−１６５６８８号公報
【特許文献２】実用新案公開平０６−０１８１９１号公報
【特許文献３】登録実用新案第３０８７６５９号公報
【発明の概要】
【発明が解決しようとする課題】
【０００４】一般に旋回窓の中心部には、直流モーターとそれを支える支持アームがあるため、それにより遮られた視界の死角をなくすために視線を移動させなければならないという不便があった。本発明はこの課題を解消するためになされたものである。
【課題を解決するための手段】
【０００５】旋回窓の外周部分にベアリングを配置し、固定窓の直流モーターのギアから旋回窓のギアを介して旋回窓を高速回転させる構造とした。それによって、直流モーターと支持アームを旋回窓の視界から排除させた。
【発明の効果】
【０００６】旋回窓は、降雨雪や海水面からの水しぶきによって、視界の悪い環境で使用する場合が多いが、旋回窓の死角が減るため、荒天時における船舶や航空機、車両の操縦や運転時の見張りがし易くなる。
【図面の簡単な説明】
【０００７】
【図１】本発明の正面図である。
【図２】本発明の正面下部の拡大図である。
【図３】本発明の側面方向からの断面図である。
【発明を実施するための形態】
【０００８】以下、本発明の実施の形態について説明する。
【０００９】図において、旋回窓ガラスａ１を旋回窓枠ａ２に固定し、旋回窓ガラスｂ１に固定窓枠ｂ２を固定する。
【００１０】旋回窓枠ａ２は、旋回窓支持ベアリングｃ１を介して固定窓枠ｂ２と組み合わせ、旋回窓ガラスａ１の円滑な旋回を確保する。
【００１１】固定窓枠ｂ２外の下部の位置に直流モーターｄ１を配置し、直流モーターｄ１の回転軸先端に駆動力を伝達させる直流モーターギアｄ２を設ける。
【００１２】直流モーターｄ１の駆動力を直流モーターギアｄ２から旋回窓枠ａ２の内側にある旋回窓ガラス側ギアａ３へ伝達させ、旋回窓ａ１、ａ２、及びａ３を高速旋回させる。
【符号の説明】
【００１３】ａ１  旋回窓ガラス
ａ２  旋回窓枠
ａ３  旋回窓側ギア
ｂ１  固定窓ガラス
ｂ２  固定窓枠
ｃ１  旋回窓支持ベアリング
ｄ１  直流モーター
ｄ２  直流モーターギア
【図１】
2013049415.tif 000003
【図２】
2013049415.tif 000004
【図３】
2013049415.tif 000005
(57)【要約】【課題】  手袋を装着しての作業の際に、物の長さや大きさ、太さ、深さなどのサイズの目安を知りたい場面や、物の長さなどのサイズを確認し判断が必要な場面において、手袋を装着しているだけで、サイズを測る事が出来る手袋を提供する。【解決手段】  手袋（１）の人差し指（２）から親指（３）にかけて、目盛り（４）を設け、長さの目安を知る事が出来る目盛り付き手袋を特徴とする。【選択図】図１
2013108202.tif 000002
【特許請求の範囲】
【請求項１】
手袋（１）の人差し指（２）から親指（３）にかけて、目盛り（４）を設け、物の長さ、大きさ、太さ、深さなどの直線的サイズや曲線的サイズを、手袋を装着しているだけで、測ることが出来る手袋。
【発明の詳細な説明】
【技術分野】
【０００１】  この発明は、様々な場面で装着する手袋の人差し指の先端から親指の先端にかけて、長さの目安を知る事が出来る目盛やゲージを付けた手袋に関するものである。
【背景技術】
【０００２】  手袋は、手を保温するための防寒用手袋や、作業時に手を保護するための手袋、物を持つ際のすべり止めのための手袋など、色々な分野で使用されている。【０００３】  野菜や果物を収穫する際の目安として大きさがある。しかしながら、その収穫物の大きさを測るために、定規などの測定器を持ち歩く必要があった。特に、収穫時期においては、専業農家だけではなく、短期間契約で採用されたアルバイトの方も収穫に携わる事になり、その方々にとっては、例えば収穫物の幅が指定されたとしても、経験がないために見た目でサイズが分からず、定規を片手に作業を進めるという結果になっている。その場合、収穫物に傷を付けてしまう可能性もあり、作業効率は非常に悪いものである。【０００４】  建築現場作業や工場構内作業においても、ミリ単位の正確な長さではなく、ある程度の長さの目安が必要になるケースがある。その場合、定規を片手に作業をするか、人間の勘で作業をすることになる。しかしながら、人間の採寸の勘は人それぞれであり、複数の人数で作業をした場合、大きなズレが生じることになる。また、パイプの太さの種類が多数ある現場において、パイプの円周が物を見ただけですぐに判断できずに、結局は定規やノギスなどの測るための別の機器が必要になり、作業効率を悪くしている。【０００５】  家庭においても、種を植える際に、穴をあける深さが種によって指定されることがあるが、これも人間の勘で作業をしている事が多い。また、家庭菜園の楽しみのひとつに、どれだけ収穫物が大きくなったかを知ることがあるが、その大きさを見た目で判断する事しか出来ず、成育の度合を瞬時に判断する事が出来ない。
調理時においても、カットする幅が指定されている場合、別に定規をあてる必要があった。また引越し時や日曜大工時においても、手袋しながら、スケールやメジャーを別に持たなければならず、その測定器が邪魔になってしまうケースが多い。
【発明の概要】
【発明が解決しようとする課題】
【０００６】  手袋をして作業をする中で、長さ、大きさ、太さ、深さなどのサイズを知りたい時に、今までは測定器を持っていないと、困るケースが多かった。
本発明は、それを解消するためになされたものである。
【課題を解決するための手段】
【０００７】  手袋（１）において、人差し指（２）を起点として、親指（３）の先まで、長さの目盛り（４）を付ける。
本発明は、以上の構成により、長さを測る事が出来る手袋である。
【発明の効果】
【０００８】  手袋をして作業をする中で、指に目盛りがあることで、定規などの測定器を一緒に持たなくても、長さ、大きさ、太さ、深さなどのサイズの目安を知る事が出来る。
また、手袋の指部分に目盛りを付ける事で、従来の手袋の機能を損なう事なく、作業性に影響が全くない。【０００９】  人差し指から親指にかけて目盛りがあるために、その物の直線的長さだけではなく、人差し指と親指を測りたい物に合わせて曲げる事で、円周の長さや曲線も測る事が出来る。【００１０】  人間の手で物の長さを測る際に、親指と人差し指を広げて、どのくらいなのかを相手に伝える場面がある。それは人間の勘に頼るところが多く、また手の大きさは人それぞれ違うために正確ではない。そのため数値的長さを伝えた方が、より正確な情報伝達が出来る。また、長さを測る必要がある作業において、定規などの測定器を別に持つ必要が無くなれば、それら測定器を取り出す際に手袋を脱着する手間もなく、作業効率が非常に高まる。特に野菜や果物の収穫時においては、その収穫物を触るだけで、その大きさを知ることが出来て、それが収穫すべきものなのかを瞬時に判断出来る。その判断は、長年の経験に頼っていたケースが多い中、短期間契約労働者においては、その都度定規などで測る必要がなくなり、作業効率だけではなく、脚立の上での作業においては安全性も高まる。【００１１】  物の長さを数値的に測るだけではなく、その物の大きさの目安が統一出来る。人によって視的長さの感覚は様々であるが、その手袋を作業者全員が装着する事により、決まった場所を触る事で、その部分の長さの許容範囲を決めておけば、農作業においては、収穫時に一定のレベルで収穫が可能になる。【００１２】  家庭菜園において、従来の作業をしながら、収穫物の成育を楽しむ事が出来る。【００１３】  食品加工の場面において、家庭内だけではなく、工場での作業においても食材をカットする際のサイズ指定がある場合が多いなか、使い捨て手袋など調理用手袋に長さの目盛りがあれば、どの作業者においても統一されたサイズでカットが可能になる。【００１４】  定規などの測定器が入らない狭い場所でも指が入れば、長さ目標の目安が付け易くなる。【００１５】  目盛りを付ける際に、反射、蛍光素材を使用すれば、暗い場所での作業の際に、目測の判断がつきやすい。また、夜間のウォーキングなどの外出の際の安全対策にも活用できる。
【図面の簡単な説明】
【００１６】
【図１】  本発明の長さが測れる手袋の全体図である。
【発明を実施するための形態】
【００１７】以下、本発明を実施するための形態について説明する。
各種素材で編み込まれた手袋（１）や各種素材で形成された手袋（１）に、人差し指（２）から親指（３）にかけて目盛り（４）を付ける。目盛りは、使用目的によってゲージのデザインに柔軟性を持たす。
目盛り表示方法は、手袋の外側・内側を問わず、手袋が透ける素材の場合は内側に付ける事も可能とする。
本発明は、以上のような構造である。
これを使用することによって、手袋を装着しての作業において、物の長さ、大きさ、太さ、深さなどのサイズを知りたくなった時に、人差し指から親指をその物にあてがえば、測定可能にするものである。
【符号の説明】
【００１８】１  手袋
２  人差し指
３  親指
４  目盛り
【図１】
2013108202.tif 000003